(57)【特許請求の範囲】
【請求項１】
複数のスラットを、その上下縁部に突成したインターロック部を介して屈曲自在に連綴してなるシャツターカーテンの左右両端部をガイドレールに嵌挿して昇降可能に構成した建築用シャッターにおいて、前記ガイドレールの内壁面室内側には上下方向に亘って凸条を形成すると共に、シャッターカーテンを構成する各スラットのインターロック部には、その両端近傍位置で前記凸条に対向する側の面に略同一鉛直線上に位置して前記凸条に係止可能な係止凹部を欠成して、シャッターカーテンが室外側に向けて湾曲した際、前記係止凹部が凸条に係止してシャッターカーテン両端部がガイドレールからの抜け出しを規制するように構成したことを特徴とする建築用シャッター。
【請求項２】
請求項１において、凸条は気密片装着溝を有するポケット部と兼用されていることを特徴とする建築用シャッター。
【発明の詳細な説明】
【０００１】
【発明の属する技術分野】
本発明は、建築用シャッターのシャッターカーテンが台風等の強風を受けて撓みを生じガイドレールから抜け出してしまうことを防止することができる建築用シャッターに関するものである。
【０００２】
【従来の技術】
従来、複数のスラットを上下に連綴した建築用シャッターカーテンは、両端側が断面略コ字状ガイドレールの開口部に嵌挿された状態で昇降して建物開口部を開閉するようになっているが、台風等の強風時には内側に設置された窓ガラスが飛来物等によって破損しないようにするためシャツターカーテンを通常閉鎖するようにしている。
ところが、この閉鎖状態で強い風圧が作用するとシャッターカーテンは、ガイドレールに嵌挿された両端側で支持されその中央部程室内外方向に大きく撓んで湾曲するが、室内側方向の撓みについては窓ガラス面への当接によってある程度撓み量が規制されることとなるが室外側方向の撓みについては規制を受けることなくその撓み量が増大し、結果的にシャッターカーテンの端部がガイドレールから抜け出してしまい閉鎖した目的を失するばかりかシャッターカーテン自体にも損傷をきたすこととなる。
そこで、このような事態を防止するためシャッターカーテンがガイドレールから抜け出すのを防止するための種々方策が提案されている。
たとえば、シャッターカーテンを構成するスラツトの両端に鉤型の金具を設け、該金具をガイドレール内に設けた係止片に係止することで抜け止めをしたり、あるいはスラットの端部に凸状の切り起こし部を形成して該切り起こし部をガイドレールの係止片に係止させるようにしたものがある。
【０００３】
【発明が解決しようとする課題】
ところが、上記従来技術のものは金具を取り付けるために手間を要するばかりか、巻き取られたシャッターカーテンを繰り出す際にスラットの端部に設けた金具がガイドレールの上端部に引っ掛かって昇降動作に支障をきたすおそれがあり、また昇降途中に於いて金具がガイドレール内壁面に擦れて傷や異音の原因となったり、さらには巻き取り時に金具同志が当接してその巻き径が大きくなってしまうものである。
また、切り起こした凸部の影響で巻き取り時にシャッターカーテンに傷が発生したり巻き径が大きくなってしまうのでシャッターケースが必要以上に大型化してしまうこととなり、ここに本発明が解決しようとする課題がある。
【０００４】
【課題を解決するための手段】
本発明は、これらの課題を解決するためになされたものであって、複数のスラットを、その上下縁部に突成したインターロック部を介して屈曲自在に連綴してなるシャツターカーテンの左右両端部をガイドレールに嵌挿して昇降可能に構成した建築用シャッターにおいて、前記ガイドレールの内壁面室内側には上下方向に亘って凸条を形成すると共に、シャッターカーテンを構成する各スラットのインターロック部には、その両端近傍位置で前記凸条に対向する側の面に略同一鉛直線上に位置して前記凸条に係止可能な係止凹部を欠成して、シャッターカーテンが室外側に向けて湾曲した際、前記係止凹部が凸条に係止してシャッターカーテン両端部がガイドレールからの抜け出しを規制するように構成したことを特徴とするものである。
【０００５】
そして、この構成によって建築用シャッターのシャッターカーテンが台風等の強風を受けて撓んだ場合でもその両端側がガイドレールから抜け出てしまうことを効果的に防止するものでありながら、スラットに突出物を形成するものでないのでシャッターカーテンが昇降時にガイドレールに摺れて傷や異音を発するおそれがなく、また巻き取り時にスラットに傷を付けたり巻き径が大きくなることがないものである。
【０００８】
さらに凸条は気密片装着溝を有するポケット部と兼用されていることを特徴とするものである。
【０００９】
そして、この構成によりポケツト部の一部に凸条の機能を持たせることにより材料費の削減を図るものである。
【００１０】
【発明の実施の形態】
本発明に係る実施の一形態を図面に基づいて説明する。
図１は、建築用シャッターの正面図であって、上方に横架した図示しない巻き取り軸に上端が止着されたシャッターカーテン１が、その両端側をガイドレール３，３に嵌挿支持された状態で巻き取り軸の正逆回転によって昇降して開口部を開閉するようになっている。
ガイドレール３は、図２に示すように離間対設した室内側リブ３ａ，室外側リブ３ｂの一端側をそれぞれ底リブ３ｃで連結して他端側が開口した断面略コ字状に形成され、上記各リブ３ａ，３ｂの内壁面の開口部分にはそれぞれ気密片３ｆ，３ｇが嵌挿されるポケット部３ｅ，３ｅが対向してガイドレール３の長手方向に連続して形成されている。
さらに、室内側リブ３ａの内壁面には中央やや開口部寄りに凸条３ｄが室外側リブ３ｂ側に向けて長手方向連続して突成されている。また、凸条３ｄの突出高さはポケット部３ｅの高さと略同一となるよう設定してある。
【００１１】
シャッターカーテン１は、図３（Ｃ）に示すように、中央部に屈曲面を有し上下縁部に互いに反対方向を向くカール状のインターロック部２ａ，２ｂを突成した複数のスラット２，２・・で構成されているが、各スラット２の上縁側インターロック部２ａは図３（Ａ）に示すようにスラット２の両端からそれぞれ所定寸法Ｌだけ切り欠かれている。４は係止凹部であって、該係止凹部４は、スラツト２の下縁側インターロック部２ｂの両端近傍位置で凸条３ｄに対向する側の面（室内側の面）に形成されており、図４（Ａ）に示すように凸条３ｄの幅ｍより大きい寸法Ｍに切り欠かれている。また、左右に対向して形成する係止凹部４，４の間隔は、スラット２の切り欠かれた上縁側インターロック部２ａの長手寸法より僅かに大きな寸法に設定されている。
このように形成したスラット２の上縁側インターロツク部２ａを直上スラット２の下縁側インターロック部２ｂにその端部側からスライド嵌挿して上下屈曲自在に連綴することで係止凹部４は、シャッターカーテン１に対してその両端部側で同一鉛直線上に位置することとなる。
【００１２】
５は、上下隣接するスラット２，２が相互に長手方向に移動することを防止する移動規制片であり、該移動規制片５は図４（Ａ）に示すように下縁側インターロック部２ｂを左右に対向する係止凹部４，４のそれぞれ内側端部近傍部位で正面側からプレス加工することにより係止凹部４に向けて低位となるよう傾斜状に圧潰して形成されており、これにより下縁側インターロック部２ｂに嵌挿された上縁側インターロック部２ａはその両端面が移動規制片５により長手方向への移動が規制されるようになっている。
【００１３】
このように係止凹部４のスラット中央側端部に傾斜状に移動規制片５を形成した場合は、シャツターカーテン１に対する風圧による負荷が減少してシャッターカーテン１の端部側がガイドレール３の底方向に移動して元の状態に復帰する際に、係止凹部４は凸条３ｄとの係止状態が傾斜部によって解除する方向に誘導されることとなって、引っ掛かることなく円滑に復帰させることができるものである。
【００１４】
なお、本実施の形態では、係止凹部４にスラツト２の長手方向への移動を防止する移動規制片５を設けたものについて説明したが、これにかぎらず移動規制片５はスラット２のインターロック部２ａ，２ｂの端面部にカシメ加工を施すことによって設けてもよい。
【００１５】
また移動規制片５は、図４（Ｂ）に示す如く下縁側インターロック部２ｂに縦方向の二条のスリットを形成し、該スリット間の部位５´を正面側からプレス加工により圧潰して形成してもよく、この場合には係止凹部４と移動規制片５とを同時に形成することができ作業効率の向上を図ることができる。
【００１６】
図６に示すものは、上述したものとは係止凹部４を形成するためのスラット２のインターロック部２ａ、２ｂの切り欠き状態を異ならしめたものである。
すなわち、上述の場合は、上縁側インターロック部２ａをスラット２の両端からそれぞれ所定寸法（Ｌ）切り欠いたのに対し、図６（Ａ）に示すものは上縁側インターロック部２ａをスラット２の両端からそれぞれ（Ｌ―Ｍ）だけ残した位置からスラット２を、その長手方向中央部に向けてＭ長さ切り欠く一方、下縁側インターロック部２ｂはその端部からそれぞれ（Ｌ―Ｍ）の位置にそれぞれスリット６が形成されている。
このように形成した複数枚のスラツト２，２の上縁側インターロック部２ａと下縁側インターロツク部２ｂ同士をその端部側から嵌挿嵌合することにより連綴してシャッターカーテン１とし、図６（Ｂ）のようにスリット６部分をカシメて係止凹部４と移動規制片５を形成したものであって、この場合にはシャツターカーテン１のインターロック部両端側において、下縁側インターロック２ｂが隣接するスラット２の上縁側インターロック２ａに被嵌された二重嵌合状態となり、シャツーカーテン１が風圧を受けて撓んだ際、係止凹部４がガイドレール３の凸条３ｄに係止してシャツターカーテン１の抜け止めがなされることとなるが、この際抜け止め力を負担するインターロック部両端側（Ｌ−Ｍの部位）が二重嵌合構造となっているため十分な強度を有し、シャツターカーテン１の抜け止め作用を確実なものとすることができる。
【００１７】
叙述のように構成したシャッターカーテン１は、図７（Ａ）のように常時はその端部側がガイドレール３に嵌挿された状態で昇降されるが、強風による負圧を受けてシャッターカーテン１が室外側に向けて撓み湾曲した場合には、まずシャツターカーテン１はその外面側の両端部が室外側リブ３ｂのポケット部３ｅに嵌挿された気密片３ｇに当接しその後中央部が室外側に撓んで湾曲するにつれてその両端部１ａは、ガイドレール３の室内側リブ３ａの内壁面に当接することとなる。そして、さらに撓み量が増大すると図７（Ｂ）に示すようにシャツターカーテン１の両端部１ａは、ガイドレール３の開口側方向へ移動することとなるが係止凹部４が凸条３ｄに係止しそれ以上の移動が規制され、その結果シャツターカーテン１の端部１ａがガイドレール３から抜け出してしまうことが防止できる。
【００１８】
なお、本実施の形態のようにガイドレール３の室内側リブ３ａと室外側リブ３ｂの先端側にポケット部３ｅ，３ｅを対向して形成した場合においては、図７（ｃ）に示すようにシャツターカーテン１が室内側に撓んで湾曲した場合でも係止凹部４が室内側リブ３ａに形成したポケット部３ｅに係止することでシャツターカーテン１がガイドレール３から抜け出すことを防止することができ、従ってシャツターカーテン１の室内外方向いずれの撓みにも対応することができ都合がよい。
この場合には、係止凹部４の切り欠き巾は、室内側のポケット部３ｅの巾より僅かに大き巾寸法に設定することはいうまでもない。
【００１９】
図８は、凸条３ｄを形成する場合における他の実施の形態を示すものであって、（Ａ）はガイドレール３の室内側のポケット部３ｅを凸条３ｄと兼用したものであり、（Ｂ）はガイドレール３の室内側リブ３ａを段差状にすることによって凸条３ｄを形成するようにしたものである。
【００２０】
【発明の効果】
本発明は、スラツトのインターロック部には、その両端近傍位置で凸条に対向する側の面に係止凹部を欠成したものであるから、スラットから突出することがないので、ガイドレールに傷を付けたりすることがなくシャツターカーテンの円滑な昇降動を確保することができるばかりか、シャツターカーテンを巻き取った場合にもスラツトに傷が発生したり巻き径が必要以上に増大することがない。また、係止凹部がガイドレールの凸条に係止してシャツターカーテンの抜け止めがなされる際に抜け止め力を負担するインターロック部は二重嵌合構造となっているため十分な強度を有し、シャツターカーテンの抜け止め作用を確実なものとすることができる。
【図面の簡単な説明】
【図１】建築用シャッターの正面図である。
【図２】ガイドレールの拡大断面図である。
【図３】（Ａ）  シャッターカーテンの要部正面図である。
（Ｂ）  同上の底面図である。
（Ｃ）  同上の右側面図である。
【図４】係止凹部と移動規制片を示す要部拡大斜視図である。
【図５】シャッターカーテンの端部を示す要部拡大斜視図である。
【図６】（Ａ）  係止凹部の他の実施の形態を示すスラット加工説明図である。
（Ｂ）  同上の係止凹部を示すスラットの斜視図である。
【図７】シャッターカーテンの抜け止め状態を示す作用説明図である。
【図８】（Ａ）凸条の他の実施の形態を示すガイドレール断面図である。
（Ｂ）凸条の他の実施の形態を示すガイドレール断面図である。
【符号の説明】
１    シャッターカーテン
２    スラット
２ａ  上縁側インターロック部
２ｂ  下縁側インターロック部
３    ガイドレール
３ｄ  凸条
４    係止凹部
５    移動規制片
６    スリット
【図１】
0003820563.tif 000002
【図２】
0003820563.tif 000003
【図３】
0003820563.tif 000004
【図４】
0003820563.tif 000005
【図５】
0003820563.tif 000006
【図６】
0003820563.tif 000007
【図７】
0003820563.tif 000008
【図８】
0003820563.tif 000009